(57)【要約】      （修正有）【課題】光源利用効率を高め、消費電力を節減することができる反射式照明装置を提供する。【解決手段】本反射式照明装置１００ｄは、発光部材１ｄ及び反射部材２ｄを備える。反射部材２ｄは、槽状構造であり、発光部材１ｄが内部に配置される。反射部材２ｄ内には、両面ミラー隔板３ｄが配置されている。両面ミラー隔板３ｄ上には、発光部材１ｄを貫設させる穿孔３１ｄが設けられる。穿孔３１ｄには、ゴムリング３２ｄが配置されている。反射部材で上に配置された複数の反射鏡２３をさらに備える。反射部材２ｄ及び／又は発光部材１ｄ上に配置された付属板２４をさらに備える。付属板２４は、反射部２４１及び／又は透光部２４２を有する。発光部材１ｄは、反射部材２ｄ上に設けた発光体を有する。反射部材２ｄは、特定の波長を有する光線が透過し、透光部２４２を有する。【選択図】図５Ａ
0003174927.tif 000002
【実用新案登録請求の範囲】
【請求項１】
発光部材及び反射部材を備えた反射式照明装置であって、
前記反射部材は、槽状構造であり、前記発光部材が内部に配置され、
前記反射部材内には、両面ミラー隔板が配置されていることを特徴とする反射式照明装置。
【請求項２】
前記両面ミラー隔板上には、前記発光部材を貫設させる穿孔が設けられ、
前記穿孔には、ゴムリングが配置されていることを特徴とする請求項１に記載の反射式照明装置。
【請求項３】
前記反射部材上に配置された複数の反射鏡をさらに備えることを特徴とする請求項１に記載の反射式照明装置。
【請求項４】
前記反射部材及び／又は前記発光部材上に配置された付属板をさらに備えることを特徴とする請求項１に記載の反射式照明装置。
【請求項５】
前記付属板は、反射部及び／又は透光部を有することを特徴とする請求項４に記載の反射式照明装置。
【請求項６】
前記発光部材は、前記反射部材上に設けた発光体を有することを特徴とする請求項１に記載の反射式照明装置。
【請求項７】
前記反射部材は、特定の波長を有する光線が透過するとともに、透光部を有することを特徴とする請求項１に記載の反射式照明装置。
【請求項８】
前記反射部材を覆う防水透明カバーをさらに備えることを特徴とする請求項１に記載の反射式照明装置。
【請求項９】
前記発光部材は、Ｖ字状又は三角柱状であることを特徴とする請求項１に記載の反射式照明装置。
【請求項１０】
前記発光部材は、反射部及び／又は透光部を有することを特徴とする請求項１に記載の反射式照明装置。
【請求項１１】
前記発光部材の両端に配置したエミッションランプをさらに備えることを特徴とする請求項１に記載の反射式照明装置。
【請求項１２】
前記エミッションランプは、光反射部を有することを特徴とする請求項１１に記載の反射式照明装置。
【請求項１３】
前記エミッションランプは多面体であることを特徴とする請求項１１に記載の反射式照明装置。
【請求項１４】
発光部材及び反射部材を備えた反射式照明装置であって、
前記反射部材は、槽状構造であり、前記発光部材が内部に配置され、
前記発光部材は、三角柱状であり、その上に電気コネクタが配置されていることを特徴とする反射式照明装置。
【請求項１５】
特定の波長を有する光線は、前記発光部材の表面を透過するか前記発光部材の表面で反射し、
前記発光部材は、反射部及び／又は透光部を有することを特徴とする請求項１４に記載の反射式照明装置。
【請求項１６】
前記発光部材は、ＬＥＤランプ、白熱電球又は蛍光灯であることを特徴とする請求項１又は１４に記載の反射式照明装置。
【考案の詳細な説明】
【技術分野】
【０００１】
本考案は、照明装置に関し、特に、反射式照明装置に関する。
【背景技術】
【０００２】
現在、様々な場所で使用される照明装置は、光源の使用態様が単方向であるのが一般的である。そのため、光源の利用率を高めて照明効果を改善するには限界があった。ユーザを満足させる照度を得るためには、取り付ける照明装置の数を増やすことが一般的であるが、この場合、消費電力が増える上に取り付けにかかる費用も増え、必要なコストが多くかかる虞がある。また送電に高電圧を使用する必要があるため、多くの電気エネルギが無駄となる上、事故が発生する危険もあり、最悪の場合、広いエリアで停電が起きる虞もある。さらに、従来の円柱状ランプの最大反射面積が側部の曲面表面積に等しく、長さ及び重量が同じ条件下でランプの反射面積を増大させて光源の利用効率を高めることが求められていた。
【考案の概要】
【考案が解決しようとする課題】
【０００３】
従来の照明装置は光源利用率の増大に限界がある上、消費電力が多いため、高電圧により電源供給を行う必要があり、安全性に不安がある。
そのため、本考案の目的は、従来技術の問題点を解決し、光源利用効率を高め、消費電力を節減することができる反射式照明装置を提供することにある。
【課題を解決するための手段】
【０００４】
上記課題を解決するために、本考案の第１の形態によれば、発光部材及び反射部材を備えた反射式照明装置であって、前記反射部材は、槽状構造であり、前記発光部材が内部に配置され、前記反射部材内には、両面ミラー隔板が配置されていることを特徴とする反射式照明装置が提供される。
【０００５】
前記両面ミラー隔板上には、前記発光部材を貫設させる穿孔が設けられ、前記穿孔には、ゴムリングが配置されていることが好ましい。
【０００６】
前記反射部材上に配置された複数の反射鏡をさらに備えることが好ましい。
【０００７】
前記反射部材及び／又は前記発光部材上に配置された付属板をさらに備えることが好ましい。
【０００８】
前記付属板は、反射部及び／又は透光部を有することが好ましい。
【０００９】
前記発光部材は、前記反射部材上に設けた発光体を有することが好ましい。
【００１０】
前記反射部材は、特定の波長を有する光線が透過するとともに、透光部を有することが好ましい。
【００１１】
前記反射部材を覆う防水透明カバーをさらに備えることが好ましい。
【００１２】
前記発光部材は、Ｖ字状又は三角柱状であることが好ましい。
【００１３】
前記発光部材は、反射部及び／又は透光部を有することが好ましい。
【００１４】
前記発光部材の両端に配置したエミッションランプをさらに備えることが好ましい。
【００１５】
前記エミッションランプは、光反射部を有することが好ましい。
【００１６】
前記エミッションランプは多面体であることが好ましい。
【００１７】
上記課題を解決するために、本考案の第２の形態によれば、発光部材及び反射部材を備えた反射式照明装置であって、前記反射部材は、槽状構造であり、前記発光部材が内部に配置され、前記発光部材は、三角柱状であり、その上に電気コネクタが配置されていることを特徴とする反射式照明装置が提供される。
【００１８】
特定の波長を有する光線は、前記発光部材の表面を透過するか前記発光部材の表面で反射し、前記発光部材は、反射部及び／又は透光部を有することが好ましい。
【００１９】
前記発光部材は、ＬＥＤランプ、白熱電球又は蛍光灯であることが好ましい。
【考案の効果】
【００２０】
本考案の反射式照明装置は、以下（１）〜（３）の効果を有する。
（１）発光部材を両面ミラー隔板に貫設させて槽状構造である反射部材の内側へ平行に架設し、反射部材及び両面ミラー隔板の反射により、発光部材が元々有する輝度の数倍を得て、両面ミラー隔板に設けた発光部材を貫設させるための穿孔に取り付けたゴムリングにより、発光部材に振動が発生することを防ぐ。
（２）三角柱状構造の発光部材は、従来の円柱状発光部材の最大反射面積を、同じ重量、長さを有する発光部材により増大させ、光線の必要に応じて光源照射角度を変えて反射面積を増やし、光源利用効率を高める。
（３）反射面積を増大させて発光効果を高めるとともに、ＬＥＤを照明光源とするＬＥＤ点光源により数倍の輝度を得ることができる、そのため、ソーラエネルギの低電圧供給に用いるのに適し、省エネ・環境保全の目的を達成するとともに、高電圧により災害が引き起こされて大規模な停電及び損失が発生することを防ぐ。
【図面の簡単な説明】
【００２１】
【図１】図１は本考案の第１実施形態による反射式照明装置を示す斜視図である。
【図２】図２は本考案の第２実施形態による反射式照明装置を示す斜視図である。
【図３】図３は本考案の第３実施形態による反射式照明装置を示す斜視図である。
【図４】図４は本考案の第４実施形態による反射式照明装置を示す斜視図である。
【図５Ａ】図５Ａは本考案の第５実施形態による反射式照明装置を示す斜視図である。
【図５Ｂ】図５Ｂは本考案の第５実施形態による反射式照明装置を示す部分拡大図である。
【図６Ａ】図６Ａは本考案の第６実施形態による反射式照明装置を示す斜視図である。
【図６Ｂ】図６Ｂは本考案の第６実施形態による反射式照明装置を示す部分拡大図である。
【図７Ａ】図７Ａは本考案の第７実施形態による反射式照明装置を示す断面図である。
【図７Ｂ】図７Ｂは図７Ａの線Ａ−Ａに沿った断面図である。
【考案を実施するための形態】
【００２２】
以下、本考案の実施形態について図に基づいて説明する。なお、これによって本考案が限定されるものではない。
【００２３】
（第１実施形態）
図１を参照する。図１に示すように、本考案の第１実施形態による反射式照明装置は、少なくとも発光部材１及び反射部材２から構成される。反射部材２は、特定の波長を有する光線を透過させる槽状構造である。発光部材１は、反射部材２内に配置され、発光部材１の内部から特定の波長を有する光線が出射されて発光部材１のハウジング表面で反射される。反射部材２内には、両面ミラー隔板３が配置されている。両面ミラー隔板３上には、発光部材１を貫設させる穿孔３１が設けられている。反射部材２の両端には、片側反射鏡面端シール板２１が設けられ、穿孔３１には、ゴムリング３２が配置されている。ゴムリング３２は、発光部材１を固定して振動することを防ぐために用いる。反射式照明装置１００は、反射部材２の防水透明カバー４を含む。
【００２４】
第１実施形態の発光部材１は、蛍光灯であり、ランプカバー及び発光体を含む。この発光体は、ＬＥＤランプ及び／又は白熱電球であり、ランプカバー内に配置されている。
【００２５】
第１実施形態の反射部材２は、長尺状かつ階段状の光反射槽であり、発光部材１の形状に対応した形状を有してもよい。
【００２６】
（第２実施形態）
図１と併せて図２を参照する。図２に示すように、本考案の第２実施形態による反射式照明装置１００ａは、例えば、発光部材１ａ、反射部材２ａ、両面ミラー隔板３ａ、防水透明カバー４ａなど、第１実施形態の反射式照明装置１００が有する構成要素に類似した構成要素を含むが、第１実施形態と異なり片側反射鏡面端シール板２１は含まず、透明ボックス４１ａ内部にそれぞれ平行に配列させて反射式照明装置１００ａを構成する。反射式照明装置１００ａは、大型の広告用ランプボックスとして用いることができる。
【００２７】
（第３実施形態）
図１と併せて図３を参照する。図３に示すように、本考案の第３実施形態による反射式照明装置１００ｂは、例えば、発光部材１ｂ、反射部材２ｂ、両面ミラー隔板３ｂなど、第１実施形態の反射式照明装置１００が有する構成要素に類似した構成要素を含むが、第１実施形態と異なり片側反射鏡面端シール板２１及び防水透明カバー４は含まず、発光部材１ｂ、反射部材２ｂ、両面ミラー隔板３ｂなどをリング状に配置して反射式照明装置１００ｂを構成する。この反射式照明装置１００ｂは、３６０度全方向へ光を照射する照明ランプ柱でもよい。発光部材１ｂから出射された光線は、複数の反射部材２ｂ及び両面ミラー隔板３ｂにより反射されて２倍の輝度を得ることができる。
【００２８】
（第４実施形態）
図１と併せて図４を参照する。図４に示すように、本考案の第４実施形態による反射式照明装置１００ｃは、例えば、発光部材１ｃ、反射部材２ｃ、両面ミラー隔板３ｃなど、第１実施形態の反射式照明装置１００が有する構成要素に類似した構成要素を含むが、第１実施形態と異なり片側反射鏡面端シール板２１及び防水透明カバー４は含まず、発光部材１ｃ、反射部材２ｃ及び両面ミラー隔板３ｃをリング状に配置させるとともに、発光部材１ｃ及び両面ミラー隔板３ｃを下斜め前方に傾斜して配列し、反射式照明装置１００ｃを構成する。この反射式照明装置１００ｃは、下斜め前方に傾斜して３６０度全方向で光照射を行う広場で使用する照明ランプとして用いることができる。
【００２９】
（第５実施形態）
図５Ａ及び図５Ｂを参照する。図５Ａ及び図５Ｂに示すように、本考案の第５実施形態による反射式照明装置１００ｄの基本構造は、第１実施形態の反射式照明装置１００と略同じであるが、発光部材１ｄが三角柱状の構造を有し、発光部材１ｄ上に電気コネクタ１１が設けられ、両面ミラー隔板３ｄの穿孔３１ｄ内へ発光部材１ｄを貫設し、穿孔３１ｄが三角形状に形成され、この三角形状のゴムリング３２ｄを外嵌させる。この三角形状のゴムリング３２ｄにより、発光部材１ｄを固定して振動が発生することを防ぐ。
【００３０】
図５Ｂを参照する。図５Ｂに示すように、三角柱状の発光部材１ｄの両端には、電気コネクタ１１が設けられている。特定の波長を有する光線は、発光部材１ｄの表面を透過したり、発光部材１ｄの表面で反射したりし、発光部材１ｄは、光線を透過させる透光部１２と、光線を反射させる反射部１３と、を有する。反射部材２ｄは、光線を透過させる透光部２２を有する。第５実施形態の透光部１２は、光線を透過させるランプカバーであり、ＬＥＤランプ１４を覆うとともにＬＥＤランプ１４の光線を出射させる。発光部材１ｄは、発熱電球又は蛍光灯でもよい。第５実施形態の反射部１３は、発光部材１ｄのハウジングの外表面上に設けられ、ＬＥＤランプ１４に周設された複数の反射鏡である。反射部材２ｄ上には、複数の反射鏡２３が配置されている。この反射鏡２３は、透光部２２の周囲に配置される。透光部２２は、透光レンズ又はその他類似した物でもよい。また反射部材２ｄ上には付属板２４が配置されている。この付属板２４は、光線を反射させる反射部２４１と、光線を透過させる透光部２４２と、を有する。透光部２４２は、平面レンズ、凸レンズ又は凹レンズでもよい。この付属板２４は、以下数種類の態様にしてもよい。例えば、特定の波長を有する光線を付属板２４に透過させたり、付属板２４で反射させたりしてもよい。また、この付属板２４は、透光板又は光反射板でもよい。この構成により、発光部材１ｄの光源を発光部材１ｄと反射部材２ｄとの間で複数回反射させてから出射させ、高い照明効果を得てもよい。
【００３１】
三角柱状の発光部材１ｄは、従来の円柱状ランプの最大反射面積を円柱状ランプの曲面状表面積に変え、重量及び長さが同じであるランプを、光線の必要に応じて光源照射角度を調整し、反射面積を増大させて光源利用効率を向上させてもよい。この構造は、省エネ・環境保全のＬＥＤを使用するのに適合し、ＬＥＤ点光源により照明輝度を高めて照明範囲を広げることができる。
【００３２】
（第６実施形態）
図６Ａ及び図６Ｂを参照する。図６Ａ及び図６Ｂに示すように、本考案の第６実施形態による反射式照明装置１００ｅの基本構造は、第５実施形態の反射式照明装置１００ｄと略同じであるため、同じ部分についてはここでは繰り返して述べない。また、同一の部分には同一の符号を付してあるが以下の点で異なる。図６Ｂに示すように、第６実施形態の発光部材１ｅは、発光体１５，１６及びサブ反射部材１８を含む。この発光体１５は、サブ反射部材１８内に設置される。発光体１６は、サブ反射部材１８の表面上に設置される。発光体１７は、反射部材２ｅ上に設置される。発光体１５の両端には、電気コネクタ１５１が配置される。特定の波長を有する光線は、サブ反射部材１８の表面を透過したりサブ反射部材１８の表面で反射したりする。サブ反射部材１８は、光線を透過させる透光部１８１と、光線を反射させる反射部１８２と、を含む。発光部材１ｅのサブ反射部材１８上には、付属板２５が配置されている。この付属板２５は、光線を反射させる反射部２５１と、光線を透過させる透光部２５２と、を有する。この透光部２５２は、平面レンズ、凸レンズ又は凹レンズでもよい。付属板２５は、以下数種類の態様でもよい。例えば、特定の波長を有する光線を付属板２５に透過させたり、付属板２５で反射させたりしてもよい。また付属板２５を透光板又は光反射板にしてもよい。この構成により、発光体１５，１６，１７の光源は、サブ反射部材１８と反射部材２ｅとの間で複数回反射した後出射し、高い照明効果を得ることができる。
【００３３】
（第７実施形態）
図７Ａ及び図７Ｂを参照する。図７Ａ及び図７Ｂに示すように、本考案の第７実施形態による反射式照明装置１００ｆの基本構造は、第１実施形態の反射式照明装置１００と略同じであるが、発光部材１ｆがＶ字状である点が異なる。発光部材１ｆは、反射部材２ｆ内に取り付けて、両面ミラー隔板３ｆに外嵌したゴムリング３２ｆの穿孔３１ｆに貫設させ、発光部材１ｆの両端には、発光部材１ｆの両端に向かって光線が出射されるエミッションランプ５が対称的に設けられている。このエミッションランプ５は、光反射部５１を有する。第７実施形態のエミッションランプ５は、三角錐構造であり、光反射部５１は複数の反射鏡である。エミッションランプ５は、五面体、六面体などの多面体構造でもよい。多面体構造のエミッションランプ５の長所は、光線を照射させる位置に応じて多面体光源の発射面が向く角度を調整することができる点である。反射部材２ｆは、光反射槽６内に取り付ける。この光反射槽６は、完全に密封された防水透明カバー４ｆを有する。第７実施形態の防水透明カバー４ｆは、３つの凸状曲面を有するカバー構造である。防水透明カバー４ｆは、光反射槽６を完全に密封することができるその他の構造でもよい。光反射槽６の頂部には、光反射板６１が設けられている。光反射板６１上には、反射式照明装置１００ｆを吊り下げる際に用いる係合部材６１１が設けられている。第７実施形態の反射部材２ｆ及び光反射槽６は、長尺状かつ階段状であり、反射部材２ｆ及び光反射槽６もその他対応した適宜な形状を有してもよい。反射部材２ｆと光反射槽６とがなす開口部の展開角度は１８０度より小さい。
【００３４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３５】
１  発光部材
１ａ  発光部材
１ｂ  発光部材
１ｃ  発光部材
１ｄ  発光部材
１ｅ  発光部材
１ｆ  発光部材
２  反射部材
２ａ  反射部材
２ｂ  反射部材
２ｃ  反射部材
２ｄ  反射部材
２ｅ  反射部材
２ｆ  反射部材
３  両面ミラー隔板
３ａ  両面ミラー隔板
３ｂ  両面ミラー隔板
３ｃ  両面ミラー隔板
３ｄ  両面ミラー隔板
３ｆ  両面ミラー隔板
４  防水透明カバー
４ａ  防水透明カバー
４ｄ  防水透明カバー
４ｆ  防水透明カバー
５  エミッションランプ
６  光反射槽
１１  電気コネクタ
１２  透光部
１３  反射部
１４  ＬＥＤランプ
１５  発光体
１６  発光体
１７  発光体
１８  サブ反射部材
２１  片側反射鏡面端シール板
２１ｃ  片側反射鏡面端シール板
２２  透光部
２３  反射鏡
２４  付属板
２５  付属板
３１  穿孔
３１ｄ  穿孔
３１ｆ  穿孔
３２  ゴムリング
３２ｄ  ゴムリング
３２ｆ  ゴムリング
４１ａ  透明ボックス
５１  光反射部
６１  光反射板
１００  反射式照明装置
１００ａ  反射式照明装置
１００ｂ  反射式照明装置
１００ｃ  反射式照明装置
１００ｄ  反射式照明装置
１００ｅ  反射式照明装置
１００ｆ  反射式照明装置
１５１  電気コネクタ
１８１  透光部
１８２  反射部
２４１  反射部
２４２  透光部
２５１  反射部
２５２  透光部
６１１  係合部材
【図１】
0003174927.tif 000003
【図２】
0003174927.tif 000004
【図３】
0003174927.tif 000005
【図４】
0003174927.tif 000006
【図５Ａ】
0003174927.tif 000007
【図５Ｂ】
0003174927.tif 000008
【図６Ａ】
0003174927.tif 000009
【図６Ｂ】
0003174927.tif 000010
【図７Ａ】
0003174927.tif 000011
【図７Ｂ】
0003174927.tif 000012